(57)【要約】      （修正有）【課題】異なる要求を満足することができる高さ調節機能を有する椅子の後部ラックを提供する。【解決手段】後部ラックは、前枠１０と、前枠１０上に移動可能に取り付けられた支持スタンド２０と、前枠上にしっかりと取り付けられたポジショニングマウント３０と、を有する。前枠は、前枠上に取り付けられた調節ベース１６を有する。調節ベース１６は、調節ベース１６上に形成された突出部１６１と、調節ベース１６上に形成された轍エリア１６２と、突出部１６１上に形成された複数のポジショニング溝１６３と、を有する。支持スタンド２０は、支持スタンド２０上に形成された移動くぼみと、移動くぼみ内に形成された移動スペースと、移動くぼみ内に取り付けられた移動アセンブリ４０と、を有する。移動アセンブリ４０は、移動ブロック４１と、移動ブロック４１内に枢動可能に取り付けられたスイングアームと、スイングアームから延びる移動ピンと、を有する。【選択図】図４
0003194400.tif 000002
【実用新案登録請求の範囲】
【請求項１】
前枠と、
前記前枠の後面上に移動可能に取り付けられた支持スタンドと、
前記前枠の前記後面上にしっかりと取り付けられ、前記支持スタンドを貫通させるように取り付けられた、ポジショニングマウントと、
移動アセンブリと
を備え、前記前枠が前記支持スタンドに沿って垂直方向に移動することができる、改良された後部ラックであって、
前記前枠は、前記前枠の後端上に取り付けられた調節ベースを有し、
前記調節ベースが、
前記調節ベースの中心表面上に形成された突出部と、
前記調節ベース上および前記突出部の周りに形成された轍エリアと、
前記突出部の外面上に形成され、前記轍エリアと連通する、複数のポジショニング溝とを有し、
前記支持スタンドは、前記支持スタンドの上端上に形成された移動くぼみを有し、
前記移動くぼみが、前記移動くぼみ内に形成された移動スペースを有し、
前記移動アセンブリは、前記移動くぼみの前記移動スペース内に取り付けられ、
移動ブロックと、
前記移動ブロックの前端に枢動可能に取り付けられたスイングアームと、
前記スイングアームの底端上で前方に延び、前記ポジショニングマウントを貫通するように取り付けられ、前記前枠の前記轍エリア内に配置される、移動ピンと
を有する、改良された後部ラック。
【請求項２】
前記ポジショニング溝の各１つが傾斜し、
前記移動ブロックが、
前記移動ブロックの前面上に形成され、２つの中心側面を有する、固定溝と、
前記固定溝の前記２つの中心側面に形成された２つの傾斜スロットと
を有し、
前記スイングアームが、前記移動ブロック内に取り付けられ、
前記スイングアームから延び、前記傾斜スロット内に取り付けられる、２つの塊
を有し、
前記移動アセンブリが、
前記スイングアームの前記塊の周りにそれぞれ取り付けられ、前記２つの傾斜スロットに対し加圧する、第１のばねおよび第２のばね
を有する、請求項１に記載の改良された後部ラック。
【請求項３】
前記支持スタンドの前記移動くぼみが、
前記移動くぼみ内に対称に形成され、前記移動くぼみと連通する、２つの縦長溝と、
前記移動くぼみ内に形成され、前記縦長溝と連通する、横長溝であって、前記横長溝の深さは、前記縦長溝の各々の深さよりも浅い、横長溝と、
前記支持スタンドの後端を貫通するように形成され、前記移動スペースと連通する、制限穴と
を有し、
前記移動ブロックが、
前記移動ブロックの底面から突出し、前記縦長溝内にそれぞれ取り付けられる、２つの位置決めロッドと、
前記位置決めロッドの周りに取り付けられた２つの第３のばねと、
前記移動ブロックの後端上に形成され、前記移動くぼみの前記制限穴を貫通するように取り付けられた、締結ピンと
を有し、
前記移動アセンブリが、位置決めシートを有し、
前記位置決めシートが、
前記横長溝内に取り付けられる横長板と、
前記横長板から下方に延び、前記縦長溝内に取り付けられる、２つの固定板と、
前記横長板の後端上に形成され、前記位置決めロッドをそれぞれ貫通させるように取り付けられた、２つの制限突出シートと
を有する、請求項１に記載の改良された後部ラック。
【請求項４】
前記支持スタンドの前記移動くぼみが、
前記移動くぼみ内に対称に形成され、前記移動くぼみと連通する、２つの縦長溝と、
前記移動溝内に形成され、前記縦長溝と連通する、横長溝であって、前記横長溝の深さは、前記縦長溝の各々の深さよりも浅い、横長溝と、
前記支持スタンドの後端を貫通するように形成され、前記移動スペースと連通する、制限穴と
を有し、
前記移動ブロックが、
前記移動ブロックの底面から突出し、前記縦長溝内にそれぞれ取り付けられる、２つの位置決めロッドと、
前記位置決めロッドの周りに取り付けられた２つの第３のばねと、
前記移動ブロックの後端上に形成され、前記移動くぼみの前記制限穴を貫通するように取り付けられた、締結ピンと
を有し、
前記移動アセンブリが、位置決めシートを有し、
前記位置決めシートが、
前記横長溝内に取り付けられる横長板と、
前記横長板から下方に延び、前記縦長溝内に取り付けられる、２つの固定板と、
前記横長板の後端上に形成され、前記位置決めロッドをそれぞれ貫通させるように取り付けられた、２つの制限突出シートと
を有する、請求項２に記載の改良された後部ラック。
【請求項５】
前記前枠が、
前記前枠内に横方向に取り付けられた位置決めアームと、
前記位置決めアームの中心表面上に形成され、前記中心表面から突出する、位置決め部と、
前記位置決め部の後端上の凹部である制限エリアと、
前記位置決め部の中央表面上に形成された位置決め溝と、
前記位置決めアームの上方の前枠の上端上に形成された裏当て板と
を有し、
前記ポジショニングマウントが、前記前枠の前記裏当て板上にしっかりと取り付けられ、
前記ポジショニングマウントの２つの相対する側から後方に延びる２つの突出板と、
前記突出板の間に形成された貫通エリアと、
前記貫通エリア内に位置決めされ、前記突出板の内壁上に形成された、２つの外側の轍と
を有し、
前記支持スタンドが、前記制限エリアの幅と等しい幅を有し、
前記支持スタンドが、
前記支持スタンドの前面上に形成され、前記位置決め溝に対応する、スライド溝と、
前記スライド溝の２つの相対する端上に形成された複数のねじ穴と、
前記支持スタンドの２つの相対する外面上に形成され、前記外側の轍と係合する、２つの内側の轍と
を有し、
前記改良された後部ラックが、前記位置決め溝内に取り付けられ、前記支持スタンドの前記ねじ穴において締め付けられる、垂直バックルを有する、請求項１に記載の改良された後部ラック。
【請求項６】
前記前枠が、
前記前枠内に横方向に取り付けられた位置決めアームと、
前記位置決めアームの中心表面上に形成され、前記中心表面から突出する、位置決め部と、
前記位置決め部の後端上の凹部である制限エリアと、
前記位置決め部の中央表面上に形成された位置決め溝と、
前記位置決めアームの上方の前枠の上端上に形成された裏当て板と
を有し、
前記ポジショニングマウントが、前記前枠の前記裏当て板上にしっかりと取り付けられ、
前記ポジショニングマウントの２つの相対する側から後方に延びる２つの突出板と、
前記突出板の間に形成された貫通エリアと、
前記貫通エリア内に位置決めされ、前記突出板の内壁上に形成された、２つの外側の轍と
を有し、
前記支持スタンドが、前記制限エリアの幅と等しい幅を有し、
前記支持スタンドが、
前記支持スタンドの前面上に形成され、前記位置決め溝に対応する、スライド溝と、
前記スライド溝の２つの相対する端上に形成された複数のねじ穴と、
前記支持スタンドの２つの相対する外面上に形成され、前記外側の轍と係合する、２つの内側の轍と
を有し、
前記改良された後部ラックが、前記位置決め溝内に取り付けられ、前記支持スタンドの前記ねじ穴上に締め付けられる、垂直バックルを有する、請求項２に記載の改良された後部ラック。
【請求項７】
前記前枠が、
前記前枠内に横方向に取り付けられた位置決めアームと、
前記位置決めアームの中心表面上に形成され、前記中心表面から突出する、位置決め部と、
前記位置決め部の後端上の凹部である制限エリアと、
前記位置決め部の中央表面上に形成された位置決め溝と、
前記位置決めアームの上方の前枠の上端上に形成された裏当て板と
を有し、
前記ポジショニングマウントが、前記前枠の前記裏当て板上にしっかりと取り付けられ、
前記ポジショニングマウントの２つの相対する側から後方に延びる２つの突出板と、
前記突出板の間に形成された貫通エリアと、
前記貫通エリア内に位置決めされ、前記突出板の内壁上に形成された、２つの外側の轍と
を有し、
前記支持スタンドが、前記制限エリアの幅と等しい幅を有し、
前記支持スタンドが、
前記支持スタンドの前面上に形成され、前記位置決め溝に対応する、スライド溝と、
前記スライド溝の２つの相対する端上に形成された複数のねじ穴と、
前記支持スタンドの２つの相対する外面上に形成され、前記外側の轍と係合する、２つの内側の轍と
を有し、
前記改良された後部ラックが、前記位置決め溝内に取り付けられ、前記支持スタンドの前記ねじ穴上に締め付けられる、垂直バックルを有する、請求項３に記載の改良された後部ラック。
【請求項８】
前記前枠が、
前記前枠内に横方向に取り付けられた位置決めアームと、
前記位置決めアームの中心表面上に形成され、前記中心表面から突出する、位置決め部と、
前記位置決め部の後端上の凹部である制限エリアと、
前記位置決め部の中央表面上に形成された位置決め溝と、
前記位置決めアームの上方の前枠の上端上に形成された裏当て板と
を有し、
前記ポジショニングマウントが、前記前枠の前記裏当て板上にしっかりと取り付けられ、
前記ポジショニングマウントの２つの相対する側から後方に延びる２つの突出板と、
前記突出板の間に形成された貫通エリアと、
前記貫通エリア内に位置決めされ、前記突出板の内壁上に形成された、２つの外側の轍と
を有し、
前記支持スタンドが、前記制限エリアの幅と等しい幅を有し、
前記支持スタンドが、
前記支持スタンドの前面上に形成され、前記位置決め溝に対応する、スライド溝と、
前記スライド溝の２つの相対する端上に形成された複数のねじ穴と、
前記支持スタンドの２つの相対する外面上に形成され、前記外側の轍と係合する、２つの内側の轍と
を有し、
前記改良された後部ラックが、前記位置決め溝内に取り付けられ、前記支持スタンドの前記ねじ穴上に締め付けられる、垂直バックルを有する、請求項４に記載の改良された後部ラック。
【請求項９】
前記ポジショニングマウントが、前記ポジショニングマウントの外面から形成され、突出する、２つの翼部を有し、
各翼部が、前記翼部を貫通するように形成された複数の貫通孔を有し、
前記改良された後部ラックが、
前記支持スタンド上に取り付けられ、前記ポジショニングマウント上にしっかりと被せられたカバーと、
前記カバーと前記貫通孔とを貫通するように取り付けられ、前記前枠の前記後端において締め付けられる、複数の締め付けコンポーネントと
を有する、請求項１に記載の改良された後部ラック。
【請求項１０】
前記ポジショニングマウントが、前記ポジショニングマウントの外面から形成され、突出する、２つの翼部を有し、各翼部が、前記翼部を貫通するように形成された複数の貫通孔を有し、
前記改良された後部ラックが、
前記支持スタンド上に取り付けられ、前記ポジショニングマウント上にしっかりと被せられたカバーと、
前記カバーと前記貫通孔とを貫通するように取り付けられ、前記前枠の前記後端において締め付けられる、複数の締め付けコンポーネントと
を有する、請求項２に記載の改良された後部ラック。
【考案の詳細な説明】
【技術分野】
【０００１】
本考案は、椅子の後部ラックに関し、特に、調節機能を有する改良された後部ラックに関する。
【背景技術】
【０００２】
後部ラックは、椅子の１つのコンポーネントであり、クッションが、後部ラック上に取り付けられ、後部ラックによって支持される。クッションは、ユーザが座部に着座しているときにユーザに心地よさを提供するようユーザの背中を支持するために使用され得る。
【０００３】
従来の後部ラックは、前枠と、前枠に枢動可能に結合された後部スタンドと、を含む。クッションが、前枠上にしっかりと取り付けられ、前枠によって支持され、ユーザの背中が、クッションに寄り掛かる。後部スタンドは、座部の底部ベースに結合される。
【０００４】
しかしながら、従来の後部ラックの前枠は、後部スタンドに対し垂直方向または横方向に沿ってスイングすることしかできず、後部スタンドに対する前枠の高さは、調節されることができない。したがって、異なる身長または異なる着座姿勢を有するユーザのために、クッションの高さは、心地よい支持効果に対するユーザの要求を満足するよう調節されることができない。前枠と後部スタンドとの間の枢動結合関係ゆえに、前枠と後部スタンドとの間の相対的な高さは変えられることができない。したがって、従来の後部ラックは、異なるユーザの可変の高さの要求を満足するには不十分である。
【０００５】
これらの欠点を克服するために、本考案は、上記問題を軽減または未然に防ぐための改良された後部ラックを提供する。
【考案の概要】
【考案が解決しようとする課題】
【０００６】
本考案の主な目的は、異なるユーザの要求を満足するために調節機能を有する改良された後部ラックを提供することである。
【課題を解決するための手段】
【０００７】
改良された後部ラックは、前枠と、前枠上に移動可能に取り付けられた支持スタンドと、前枠上にしっかりと取り付けられたポジショニングマウントと、を有する。前枠は、前枠上に取り付けられた調節ベースを有する。調節ベースは、調節ベース上に形成された突出部と、調節ベース上に形成された轍エリアと、突出部上に形成された複数のポジショニング溝と、を有する。支持スタンドは、支持スタンド上に形成された移動くぼみと、移動くぼみ内に形成された移動スペースと、移動くぼみ内に取り付けられた移動アセンブリと、を有する。移動アセンブリは、移動ブロックと、移動ブロック内に枢動可能に取り付けられたスイングアームと、スイングアームから延びる移動ピンと、を有する。移動ピンは、轍エリア内に配置される。本考案は、異なる要求を満足することができる高さ調節機能を有する。
【０００８】
本考案の他の目的、利点、および新規な特徴が、添付図面とともに考慮した場合、以下の詳細な説明からより明らかになるだろう。
【図面の簡単な説明】
【０００９】
【図１】図１は、本考案に係る改良された後部ラックの斜視図である。
【図２】図２は、図１における改良された後部ラックの斜視側面図である。
【図３】図３は、図１における改良された後部ラックの正面分解斜視図である。
【図４】図４は、図１における改良された後部ラックの背面分解斜視図である。
【図５】図５は、図１における改良された後部ラックの前枠の拡大斜視図である。
【図６】図６は、図１における改良された後部ラックの前枠の部分拡大背面図である。
【図７】図７は、図１における改良された後部ラックの支持スタンドの部分拡大正面図である。
【図８】図８は、図７における線８−８に沿った、改良された後部ラックの支持スタンドの横断側面図である。
【図９】図９は、図１における改良された後部ラックのポジショニングマウントの斜視図である。
【図１０】図１０は、図３における改良された後部ラックの移動アセンブリの分解拡大斜視図である。
【図１１】図１１は、図１における改良された後部ラックの移動アセンブリおよび前枠の分解拡大斜視図である。
【図１２】図１２は、図１１における轍エリア内を転がって進む移動ピンの動作可能な側面図である。
【図１３】図１３は、図１１における轍エリアの上部に位置決めされた移動ピンの動作可能な側面図である。
【図１４】図１４は、図１１における轍エリアの底部に位置決めされた移動ピンの動作可能な側面図である。
【考案を実施するための形態】
【００１０】
図１および図２を参照すると、本考案に係る改良された後部ラックは、前枠１０、支持スタンド２０、ポジショニングマウント３０、および移動アセンブリ４０を備える。
【００１１】
図３および図４を参照すると、前枠１０は、位置決めアーム１１、位置決め部１２、制限エリア１３、位置決め溝１４、裏当て板１５、調節ベース１６、および複数のねじ穴１７を有する。位置決めアーム１１は、前枠１０内に横方向に取り付けられる。位置決め部１２は、位置決めアーム１１の中心表面上に形成され、同中心表面から突出する。図５に示すように、制限エリア１３は、位置決め部１２の後端上の凹部であり、位置決め溝１４は、位置決め部１２の中央表面上に形成される。裏当て板１５は、位置決めアーム１１の上方の前枠１０の上端上に形成される。
【００１２】
調節ベース１６は、裏当て板１５の後端上に形成される。調節ベース１６は、突出部１６１、轍エリア１６２、および複数のポジショニング溝１６３を有する。突出部１６１は、調節ベース１６から延び、轍エリア１６２は、調節ベース１６内の突出部１６１の周りの凹部である。ポジショニング溝１６３は、突出部１６１の外面上に垂直に形成され、轍エリア１６２と連通する。図６を参照すると、ポジショニング溝１６３の各１つは傾斜している。ねじ穴１７は、裏当て板１５の後端上で調節ベース１６の周りに形成される。
【００１３】
図３および図４をさらに参照すると、支持スタンド２０は、前枠１０の後端上に取り付けられ、支持スタンド２０の幅は、制限エリア１３の幅と等しい。支持スタンド２０は、連結ベース２１、スライド溝２５、複数のねじ穴２２、移動くぼみ２３、および２つの内側の轍２４を有する。連結ベース２１は、支持スタンド２０の底端上で前枠１０の下に取り付けられる。スライド溝２５は、支持スタンド２０の前面上に形成され、位置決め溝１４に対応する。ねじ穴２２は、スライド溝２５の２つの相対する端上に形成される。
【００１４】
図７および図８を参照すると、移動くぼみ２３は、調節ベース１６に対応して支持スタンド２０の上端上に形成され、移動くぼみ２３内に形成された移動スペース２３１を有し、２つの縦長溝２３２が、移動くぼみ２３内に対称に形成され、移動くぼみ２３と連通し、横長溝２３３が、移動くぼみ２３内に形成され、縦長溝２３２と連通し、横長溝２３３の深さは、縦長溝２３２の各々の深さよりも浅く、制限穴２３４が、支持スタンド２０の後端を貫通するように形成され、移動スペース２３１と連通する。内側の轍２４は、支持スタンド２０の２つの相対する外面上に形成される。好ましい実施形態において、内側の轍２４は、図８に示すように誘導溝として形成されることもできるし、または、突出バーとして形成されることもできる。
【００１５】
図３、図４、および図９を参照すると、ポジショニングマウント３０は、前枠１０の裏当て板１５上にしっかりと取り付けられ、２つの突出板３１、貫通エリア３２、２つの外側の轍３３、ポジショニングホール３４、および２つの翼部３５を有する。突出板３１は、ポジショニングマウント３０の２つの相対する側から後方に延びる。貫通エリア３２は、突出板３１の間に形成され、外側の轍３３は、貫通エリア３２内に位置決めされ、突出板３１の内壁上に形成される。貫通エリア３２は、支持スタンド２０を貫通させるように取り付けられ、外側の轍３３は、内側の轍２４と係合する。好ましい実施形態において、外側の轍３３は、内側の轍２４の誘導溝２４１に対応して突出バー３３１として形成されることもできるし、または、内側の轍２４の突出バーに対応して凹状溝として形成されることもできる。ポジショニングホール３４は、貫通エリア３２を貫通するように形成され、調節ベース１６の轍エリア１６２に対応する。翼部３５はそれぞれ、突出板３１の２つの外側面上に形成され、同外側面から突出し、各翼部３５は、翼部３５を貫通するように形成された複数の貫通孔３５１を有する。
【００１６】
図３、図４、および図１０を参照すると、移動アセンブリ４０は、支持スタンド２０の上端に取り付けられ、移動ブロック４１、スイングアーム４２、位置決めシート４３、第１のばね４４、および第２のばね４５を有する。移動ブロック４１は、移動くぼみ２３の移動スペース２３１内に取り付けられ、移動ブロック４１の幅は、移動スペース２３１の幅と等しく、移動ブロック４１の高さは、移動スペース２３１の高さよりも低い。
【００１７】
移動ブロック４１は、移動ブロック４１の前面上に形成された固定溝４１１と、固定溝４１１の上端に形成された位置決め穴４１２と、固定溝４１１の２つの中心側面に形成された２つの傾斜スロット４１３と、固定溝４１１の底端から延びる底部溝４１４と、底部溝４１４を貫通するように形成された弧状の穴４１５と、移動ブロック４１の底面から突出し、対応する縦長溝２３２内にそれぞれ取り付けられる２つの位置決めロッド４１６と、位置決めロッド４１６の周りに取り付けられた２つの第３のばね４１７と、移動ブロック４１の後端上に形成され、移動スペース２３の制限穴２３４を貫通するように取り付けられる締結ピン４１８と、を有する。
【００１８】
スイングアーム４２は、移動ブロック４１内に取り付けられ、スイングアーム４２の上端から延び、位置決め穴４１２内に枢動可能に取り付けられる固定ピン４２１と、スイングアーム４２から延び、対応する傾斜スロット４１３内に取り付けられる２つの塊４２２と、スイングアーム４２の底端から延び、ポジショニングホール３４を貫通するように取り付けられ、轍エリア１６２内に位置決めされる移動ピン４２３と、を有する。移動ピン４２３は、ポジショニング溝１６３の１つの中に把持される。
【００１９】
位置決めシート４３は、横長溝２３３内に取り付けられる横長板４３１と、横長板４３１から下方に延び、位置決めロッド４１６をカバーするように縦長溝２３２内に取り付けられる２つの固定板４３２と、横長板４３１を貫通するように形成された２つの固定穴４３３と、横長板４３１の後端上に形成された２つの制限突出シート４３４と、を有し、制限突出シート４３４は、位置決めロッド４１６を貫通させるように取り付けられ、第３のばね４１７によって圧せられる。
【００２０】
図１０、図１２、および図１３を参照すると、第１のばね４４および第２のばね４５は、スイングアーム４２の塊４２２の周りにそれぞれ取り付けられ、傾斜スロット４１３にそれぞれもたせ掛けられ、第１のばね４４の剛性は、第２のばね４５の剛性よりも大きい。よって、スイングアーム４２は、第２のばね４５の方向に傾けられ、第２のばね４５は、スイングアーム４２によって圧縮される。位置決めシート４３は、締め付けコンポーネントによって横長溝２３３内にしっかりと取り付けられる。
【００２１】
支持スタンド２０は、ポジショニングマウント３０内に取り付けられ、ポジショニングされ、ポジショニングマウント３０は、内側の轍２４と外側の轍３３との間の結合により、支持スタンド２０に沿って垂直に移動させられ得る。本考案の改良された後部ラックは、支持スタンド２０の後端上に取り付けられ、ポジショニングマウント３０上にしっかりと被せられた、カバー５０を有する。複数の締め付けコンポーネントが、カバー５０と貫通孔３５１とを貫通するように取り付けられ、次にねじ穴１７内に締結される。
【００２２】
図１を参照すると、本考案の改良された後部ラックは、位置決め溝１４内に取り付けられ、締め付けコンポーネントを使用することによって支持スタンド２０のねじ穴２２において締め付けられた、垂直バックル６０を有する。よって、前枠１０は、スライド溝２５に沿って移動するように支持スタンド２０によって制限される。
【００２３】
図３、図１１、および図１２を参照すると、支持スタンド２０に対する前枠１０の高さを調節する場合、前枠１０を上方に引張して、スイングアーム４２の移動ピン４２３が、対応するポジショニング溝１６３を出るように轍エリア１６２に沿って下方に移動させられるようにする。移動ピン４２３が次のポジショニング溝１６３に移動すると、移動ピン４２３は、第１のばね４４の弾力によって対応するポジショニング溝１６３内に把持される。図１２〜図１４を参照すると、調節プロセスにおいて、スイングアーム４２および移動ブロック４１は、移動スペース２３１内を下方にわずかに移動させられ、突出部１６１によって押されるが、ポジショニング溝１６３の１つに転がって進む際に、第１のばね４４および第２のばね４５の弾力により、元の位置に素早く戻される。この瞬間、移動ピン４２３は、次のポジショニング溝１６３内に締結され、前枠１０は、より高い位置に持ち上げられる。
【００２４】
図６、図１３、および図１４を参照すると、本考案は、４つのポジショニング溝１６３を有し、４つの異なる高さに調節されることができる。移動ピン４２３が最も低いポジショニング溝１６３を出ると、移動ピン４２３は、前枠１０の重量により、轍エリア１６２の上端に戻るように移動することができる。前枠１０は、ポジショニング溝１６３の１つにおいて締結されるように繰り返し引っ張られる。よって、本考案の改良された後部ラックの前枠１０は、支持スタンド２０に対する高さを調節されることができ、異なるユーザが、椅子の改善された実用性に対する個人的な要求に基づいて前枠の高さを調節することができる。
【００２５】
たとえ本考案の多数の特性および利点が本考案の構造および特徴の詳細とともに上記説明において述べられていたとしても、本開示は例示的なものにすぎない。細部における、特に、形状、サイズ、部品の配列といった事項における変更が、添付の請求項を表現する用語の、広範で一般的な意味によって示される限りにおいて、本考案の原理内で行われることができる。
【図１】
0003194400.tif 000003
【図２】
0003194400.tif 000004
【図３】
0003194400.tif 000005
【図４】
0003194400.tif 000006
【図５】
0003194400.tif 000007
【図６】
0003194400.tif 000008
【図７】
0003194400.tif 000009
【図８】
0003194400.tif 000010
【図９】
0003194400.tif 000011
【図１０】
0003194400.tif 000012
【図１１】
0003194400.tif 000013
【図１２】
0003194400.tif 000014
【図１３】
0003194400.tif 000015
【図１４】
0003194400.tif 000016